(57)【要約】   【課題】            ノート型のパソコンなどでは、キーボードの入力姿勢とマウスパッドとパッドスイッチとスクロールパッドスイッチが人間工学に基づいて配置されていなかった。マウスパッド周辺で全てのマウスの操作やマウスパッドに触れたまま表示画面の上下や左右方向へのスクロールなどの操作が素早くできる情報機器は無かった。  【解決手段】  マウスパッド面をキーボードのＹ軸に対して−３０度から−５０度の間の任意の角度に傾け、その周辺に機能別にドーナツ状にパッドスイッチを配置した。マウスパッドのＸ軸とＹ軸の両端のパッドスイッチに縦方向と横方向の２方向からの力に対して１個のスイッチで動作する機構を設け、マウスパッドに触れたまま上・下または左・右方向に表示画面のスクロールができるようにした。マウスパッド周辺で簡単に指先だけで全てのパッドスイッチを操作することができるように構成したワンハンドタッチマウスパッドである。【選択図】      図８
2005190030.tif 000002
【特許請求の範囲】
【請求項１】
情報機器のマウスパッド面をＹ軸に対して任意の角度に傾けマウスパッドの周辺に機能別にパッドスイッチをドーナツ状に配置したことを特徴とするワンハンドタッチマウスパッド。
【請求項２】
請求項１のマウスパッド面のＸ軸とＹ軸の一端または両端のパッドスイッチに縦方向と横方向の２方向からの力に対して１個のスイッチで動作する機構を設け表示画面のスクロール機能を割り当てたことを特徴とするワンハンドタッチマウスパッド。
【請求項３】
請求項１または２のスクロールパッドスイッチのＸ’軸とＹ’軸の交点を任意の角度に設け表示画面のスクロール機能を割り当てたことを特徴とするワンハンドタッチマウスパッド。
【請求項４】
請求項１または３のマウスパッドとパッドスイッチを薄型に一体形成したことを特徴とする一体型ワンハンドタッチマウスパッド。
【発明の詳細な説明】
【技術分野】
【０００１】
表示画面のスクロールやインターネット表示画面の「戻る」や「進む」やドラッグ＆ドロップなど全てのマウスの操作が、マウスパッド周辺で片手で簡単にできる情報機器のマウスパッドに関するものである。
【背景技術】
【０００２】
従来のノート型のパソコンなどではマウスパッドはキーボードの下側にキーボードのＹ軸に対して０度の角度に配置されていた。キーボードの入力姿勢から右手でマウスパッドをＸ軸やＹ軸方向へ操作するとき手首を外側へ曲げＹ軸に正対して操作しなくてはならず大変使い難かった。（特許文献２・４参照。）。
文章画面のスクロールやインターネットなどの画面検索では表示画面の上下・左右のスクロールは頻繁で、スクロールパッドスイッチはスクロールパッドスイッチのＸ’軸に対してＹ’軸は９０度に設けてあり使い難かった。
ドラッグ＆ドロップによる範囲指定や画像の編集は、マウスパッド面を押し続けながら片手での操作は難しく安定しなかった。（特許文献１・３参照。）。
【０００３】
以下、従来技術を詳しく説明する。特開２００１−６０１３９号「入力デバイス」がある。ポインティングデバイスの操作部分（操作板）を指で押すことにより、その動作を検知する検出器を新たに組み合わせた構造を特徴とするポインティングデバイスである。この検出器は操作板を指である一定以上の力で押すことによりスイッチがＯＮ状態となり押す力を弱めることでＯＦＦとなる。この検出器をマウスの左クリックキーとして使用する。このようにすることで、操作板を指で少し強く押しながら検出器を動作させた（ＯＮ状態）のまま、操作板上の指を上下左右に操作する事によりマウスのポインタ操作と左クリック操作を同時に行うことが可能となる。このことによりパッド型と呼ばれるポインティングデバイスにおいても、ドラッグ＆ドロップ操作、及び範囲指定などの複合操作を別々の指を使用せずに、一本の指で実行可能にしたポインティングデバイスである。
しかし、この「入力デバイス」は、操作板を指で少し強く押しながら検出器を動作（ＯＮ状態）させ、操作板上の指を上下左右に操作する為、ポインティングデバイスを痛めやすく、押し続けなくては機能せず力を抜いたり途中で中断すると検出器が（ＯＦＦ状態）となり操作が確定する。再度、マウスパッドを押すとマウスポインタが移動してしまった所から新たな操作となるため安定した操作ができなかった。                                      
【０００４】
従来の技術としては、特開２００１−３５０５８０号「ノート型パソコンのクリックボタンの配置」がある。ノート型のパソコンのクリックボタンをタッチパッドの右上に位置したものである。しかし、タッチパッド面がキーボードのＹ軸に対して０度の角度に配置され、その右上に設けられているために手首を外側へ曲げないと操作が難しかった。
【０００５】
従来の技術としては、特開２００２−７０６０号「デスクトップ型パソコン、ノート型パソコン及びワープロの外付け用固定式マウス」がある。デスクトップ型パソコン、ノート型パソコン及びワープロの外付け用マウスにタッチパッドを使用して固定式にしたものである。しかし、タッチパッドを固定式にしただけではドラッグ＆ドロップによる範囲指定や画像の編集は、パッドスイッチを押し続けながら行う必要があり片手で操作するのは難しかった。
【０００６】
従来の技術としては、特開２００２−２３９５０号「ノート型パソコンのクリックボタンの配置」がある。ノート型パソコンのクリックボタンをタッチパッドの左と右に配置したものである。しかし、タッチパッド面がキーボードのＹ軸に対して０度の角度に配置され、その右上に設けられているために手首を外側へ曲げないと操作が難しかった。
【特許文献１】特開２００１−６０１３９号  公報
【特許文献２】特開２００１−３５０５８０号  公報
【特許文献３】特開２００２−７０６０号  公報
【特許文献４】特開２００２−２３９５０号  公報
【発明の開示】
【発明が解決しようとする課題】
【０００７】
ノート型のパソコンなどではマウスパッドはキーボードの下側にキーボードのＹ軸に対して０度の角度に配置されていた。キーボードの入力姿勢とマウスパッドとパッドスイッチの配置と、スクロールパッドスイッチが人間工学に基づいて配置されていなかったので、手首を浮かせたり曲げて無理な姿勢で操作していたので大変使い難かった。マウスパッド周辺で全てのマウスの操作や表示画面の上下や左右方向のスクロールなどの操作が素早くできる情報機器は無かった。インターネットの表示画面の「戻る」はキーボードのバックスペースキーの機能で行えるが、表示画面の「進む」の機能キーは無かった。ドラッグ＆ドロップや画像などの編集もマウスパッド面を押し続けながら片手で操作するのは難かった。また、外付け用マウスの場合もドラッグ機能は左クリックを握ったまま操作しなくてはならず大変不便であった。以上のような課題があった。
【課題を解決するための手段】
【０００８】
ノート型のパソコンなどではマウスパッドはキーボードの下側にキーボードのＹ軸に対して０度の角度に配置され、キーボードの入力姿勢とマウスパッドとパッドスイッチの配置やスクロールパッドスイッチが人間工学に基づいて配置されていなかったので、マウスパッド面をキーボードのＹ軸に対して−３０度から−５０度の間の任意の角度に傾け、その周辺に機能別にパッドスイッチをドーナツ状に配置し構成した。また、スクロールパッドスイッチのＸ’軸とＹ’軸の交点をＸ’軸に対して６０度前後の任意の角度に傾け、人差し指と中指を揃えたまま上下・左右の表示画面のスクロールが簡単にできるように構成した。
マウスパッド面のＸ軸とＹ軸の一端または両端のパッドスイッチに縦方向と横方向の２方向からの力に対して１個のスイッチで動作する機構を設け表示画面のスクロールが簡単にできるように構成した。
パッドスイッチの一つにバックスペースキーの機能とインターネット表示画面の
「戻る」の機能を割り当て、もう一つのパッドスイッチに「進む」の機能を割り当て、簡単に操作できるように構成した。
パッドスイッチの一つにプッシュロックスイッチを設け、ドラッグ＆ドロップのドラッグロック機能を割り当て簡単に操作できるように構成した。
従来のパッドスイッチやキー操作にない機能については、インターフェイス回路を設けた。
本発明は、以上の構成よりなるワンハンドタッチマウスパッドである。
【発明の効果】
【０００９】
本発明のワンハンドタッチマウスパッドは、人間工学に基づいてマウスパッド面をキーボードのＹ軸に対して任意の角度に傾け、その周辺に機能別にパッドスイッチをドーナツ状に配置したことにより、マウスパッド周辺だけで全ての操作が簡単にできた。スクロールパッドスイッチのＸ’軸とＹ’軸の交点をＸ’軸に対して６０度前後の任意の角度に傾けたことにより、人差し指と中指を揃えたまま上下・左右の表示画面のスクロール操作が簡単にできた。
マウスパッド面のＸ軸とＹ軸の一端または両端のパッドスイッチに縦方向と横方向の２方向からの力に対して１個のスイッチで動作する機構を設けたことにより、マウスポインターを操作しながら表示画面のスクロール操作が簡単にできた。また、他のパッドスイッチにインターネット表示画面の「戻る」や「進む」、他のパッドスイッチにプッシュロックスイッチを設けドラッグ＆ドロップのドラッグロック機能を割り当てたことにより簡単に操作できた。
また、マウスパッドとパッドスイッチを一体形成し、外付け用の一体型ワンハンドタッチマウスパッドとしても使用できた。本発明は、以上のような効果がある。
【発明を実施するための最良の形態】
【００１０】
本発明を実施するための最良の形態を図面にもとずいて説明する。図１は本発明のワンハンドタッチマウス装着のノート型パソコンの斜視図、図３はパッドスイッチ２の側面図、図５はスクロールパッドスイッチ５の上面図、図８は機能別パッドスイッチの配置図Ｂ、図９はパッドスイッチ３ｃの側面図、図１０はパッドスイッチ７ｃの側面図、図１１はパッドスイッチ９ｃの側面図、図１２はパッドスイッチ１０ｃの側面図、図１３はパッドスイッチ１３の側面図である。
図１のように、マウスパッド１をキーボードのＹ軸に対して−４０度の角度に傾け、８図のようにその周辺に機能別にパッドスイッチ２、３ｃ、４、５、６、７ｃ、８、９ｃ、１０ｃ、１１、１２、１３、１４、１５、１６をドーナツ状に配置した。
図３のようにパッドスイッチ２にプッシュロックスイッチ２ａを設け、ドラッグ＆ドロップのドラッグロック機能を割り当てた。
パッドスイッチ２を押すと、プッシュロックスイッチ２ａが（ＯＮ）入りロックされドラッグロックとなる。また、もう一度パッドスイッチ２を押すとプッシュロックスイッチ２ａが（ＯＦＦ）切れ、ロック状態が解除されドラッグロックも解除される。
図９のようにパッドスイッチ３ｃに縦方向と横方向の２方向からの力に対し１個のタクトスイッチ３ｄで動作する機構を設け、左方向へのスクロールの機能を割り当てた。
パッドスイッチ４にプッシュスイッチを設け、左クリックの機能を割り当てた。
図５のようにスクロールパッドスイッチ５のＹ’軸（上下）をキーボードのＹ軸に対して−５度傾けて配置し、スクロールパッドスイッチ５のＸ’軸（左右）とＹ’軸（上下）の交点を、スクロールパッドスイッチ５のＸ’軸に対して６０度にＹ’軸を傾け、４箇所にプッシュスイッチを設け上下・左右方向へのスクロールの機能を割り当てた。
パッドスイッチ６にプッシュスイッチを設け、右クリックの機能を割り当てた。
【００１１】
図１０のようにパッドスイッチ７ｃに縦方向と横方向の２方向からの力に対し１個のタクトスイッチ７ｄで動作する機構を設け、右方向へのスクロールの機能を割り当てた。
パッドスイッチ８にプッシュスイッチを設け、バックスペースキーの機能と、インターネット表示画面の「戻る」の機能を割り当てた。
図１１のようにパッドスイッチ９ｃに縦方向と横方向の２方向からの力に対し１個のタクトスイッチ９ｄで動作する機構を設け、下方向へのスクロールの機能を割り当てた。
図１２のようにパッドスイッチ１０ｃに縦方向と横方向の２方向からの力に対し１個のタクトスイッチ１０ｄで動作する機構を設け、上方向へのスクロールの機能を割り当てた。
パッドスイッチ１１にプッシュスイッチを設け、「削除」の機能を割り当てた。
パッドスイッチ１２にプッシュスイッチを設け、「切り取り」の機能を割り当てた。
図１３のようにパッドスイッチ１３に、プッシュロックスイッチ１３ａを設け、文章画面設定とインターネット画面設定にパッドスイッチの機能を切り替えた。パッドスイッチ１３を押すと、プッシュロックスイッチ１３ａが（ＯＮ）入りロックされ、文章画面設定となりパッドスイッチ８に「元に戻す」と、パッドスイッチ１４に「やり直す」の機能を割り当てた。また、もう一度パッドスイッチ１３を押すとプッシュロックスイッチ１３ａが（ＯＦＦ）切れ、ロックが解除されインターネット画面設定に戻る。
パッドスイッチ１４にプッシュスイッチを設け、インターネット表示画面の「進む」の機能を割り当てた。
パッドスイッチ１５にプッシュスイッチを設け、「張り付け」の機能を割り当てた。
パッドスイッチ１６にプッシュスイッチを設け、「コピー」の機能を割り当てた。
従来のパッドスイッチやキーにない、「ドラッグロック」、「戻る」・「元に戻す」、「削除」、「切りとり」、「進む」・「やり直し」、「張り付け」、「コピー」機能については、インターフェイス回路を設けた。
以上のように構成したときにマウスパッドの周辺だけで全ての操作が片手で簡単にできた。
【実施例１】
【００１２】
本発明を図面にもとずいて説明する。図１は本発明のワンハンドタッチマウス装着のノート型パソコンの斜視図、図２は機能別パッドスイッチの配置図Ａ、図３はパッドスイッチ２の側面図、図４はパッドスイッチ３・３ａの側面図、図５はスクロールパッドスイッチ５の上面図、図６はパッドスイッチ７・７ａの側面図、図７はパッドスイッチ９・９ａの側面図である。
図１のように、マウスパッド１をキーボードのＹ軸に対して−３０度から−５０度の間の任意の角度に傾け、図２のようにその周辺に機能別にパッドスイッチ２、３・３ａ、４、５、６、７・７ａ、８、９・９ａをドーナツ状に配置した。
図３のようにパッドスイッチ２にプッシュロックスイッチ２ａを設け、ドラッグ＆ドロップのドラッグロック機能を割り当てた。
パッドスイッチ２を押すと、プッシュロックスイッチ２ａが（ＯＮ）入りロックされドラッグロックとなる。また、もう一度パッドスイッチ（２）を押すとプッシュロックスイッチ２ａが（ＯＦＦ）切れ、ロック状態が解除されドラッグロックも解除される。
【００１３】
図４のようにパッドスイッチ３・３ａに縦方向と横方向の２方向からの力に対し１個のプッシュスイッチ３ｂで動作する機構を設け、左方向へのスクロールの機能を割り当てた。
パッドスイッチ４にプッシュスイッチを設け、左クリックの機能を割り当てた。
図５のようにスクロールパッドスイッチ５のＹ’軸（上下）をキーボードのＹ軸に対して−５度前後傾けて配置し、スクロールパッドスイッチ５のＸ’軸（左右）とＹ’軸（上下）の交点を、スクロールパッドスイッチ５のＸ’軸に対して６０度前後の任意の角度にＹ’軸を傾け、４箇所にプッシュスイッチを設け上下・左右方向へのスクロールの機能を割り当てた。
パッドスイッチ６にプッシュスイッチを設け、右クリックの機能を割り当てた。
図６のようにパッドスイッチ７・７ａに、縦方向と横方向の２方向からの力に対して１個のプッシュスイッチ７ｂで動作する機構を設け、右方向へのスクロールの機能を割り当てた。
パッドスイッチ８にプッシュスイッチを設け、バックスペースキーの機能と、インターネット表示画面の「戻る」の機能を割り当てた。
図７のようにパッドスイッチ９・９ａに、縦方向と横方向の２方向からの力に対して１個のプッシュスイッチ９ｂで動作する機構を設け、下方向へのスクロールの機能を割り当てた。
以上のように構成されている。
【００１４】
従来のマウスパッドは、横６０ミリ×縦４５ミリでキーボードのＹ軸に対して０度の角度に設けられていた。そこで、マウスパッド１を人間工学に基づいてＹ軸に対して−３０度から−５０度の任意の角度に傾け、図２のようにマウスパッドの周辺に機能別にパッドスイッチ２、３・３ａ、４、５、６、７・７ａ、８、９・９ａをドーナツ状に配置し構成したことにより、キーボード入力姿勢からマウスパッドの操作へと移りやすく、手首と指先の角度を変えることなく個々のパッドスイッチの操作とマウスポインターを上下・左右方向に操作することが簡単にできた。
図３のようにパッドスイッチ２に、プッシュロックスイッチ２ａを設けドラッグロック機能を割り当てたことにより、ドラッグ＆ドロップのドラッグロックと解除が簡単にできた。
ドラッグロック機能が設けられ文章の範囲指定や画像などの編集も片手で簡単に操作できた。また、今までパッド面を押し下げなくてもできるドラッグロック機能や、ドラッグロック機能のキーもパッドスイッチも無かった。
図４のようにパッドスイッチ３・３ａに縦方向と横方向の２方向からの力に対し１個のプッシュスイッチ３ｂで動作する機構を設け、左方向へのスクロール機能を割り当てたことによりマウスパッド１に触れたままパッドスイッチ３ａを左方向へ操作すると左方向へのスクロールが簡単にできた。また、パッドスイッチ３を操作しても同様のことが簡単にできた。このようにマウスパッドを押し下げなくても、マウスポインターを操作しながら同一方向へのスクロールが簡単にできるものは無かった。
パッドスイッチ４に、左クリックの機能を割り当てたことにより簡単に操作できた。
【００１５】
図５のようにスクロールパッドスイッチ５のＹ’軸（上下）をキーボードのＹ軸に対して−５度前後傾けて配置し、スクロールパッドスイッチ５のＸ’軸（左右）とＹ’軸（上下）の交点を、スクロールパッドスイッチ５のＸ’軸に対して６０度前後の任意の角度にＹ’軸を傾け、上下・左右の表示画面のスクロール機能を割り当てたことにより、人差し指と中指を揃えたまま操作が簡単にできた。
人間の人差し指と中指の長さは１０ミリ前後違うので、人差し指を少し曲げて両指を揃えたときに自然にスクロールパッドスイッチ５の上下または左右の所に載るように人間工学に基づいて構成した。
パッドスイッチ６に、右クリックの機能を割り当てたことにより簡単に操作できた。
図６のようにパッドスイッチ７・７ａに、縦方向と横方向の２方向からの力に対して１個のプッシュスイッチ７ｂで動作する機構を設け、右方向へのスクロール機能を割り当てたことにより、マウスパッド１に触れたままパッドスイッチ７ａを右方向へ操作すると右方向へのスクロールが簡単にできた。また、パッドスイッチ７を操作することによっても同様のことが簡単にできた。
パッドスイッチ８は、バックスペースキーの機能と、インターネット表示画面の「戻る」の機能を割り当てたことにより、バックスペースキーまで移動することなく簡単に操作することができた。
図７のようにパッドスイッチ９・９ａに、縦方向と横方向の２方向からの力に対して１個のプッシュスイッチ９ｂで動作する機構を設け、下方向へのスクロール機能を割り当てたことにより、マウスパッド１に触れたままパッドスイッチ９ａを下方向へ操作すると下方向へのスクロールが簡単にできた。また、パッドスイッチ９を操作することによっても同様のことが簡単にできた。
以上のようにマウスパッド周辺だけで全ての操作が片手で簡単にできた。
【実施例２】
【００１６】
本発明を図面にもとずいて説明する。図１は本発明のワンハンドタッチマウスパッド装着のノート型パソコンの斜視図、図３はパッドスイッチ２の側面図、図５はスクロールパッドスイッチ５の上面図、図８は機能別パッドスイッチの配置図Ｂ、図９はパッドスイッチ３ｃの側面図、図１０はパッドスイッチ７ｃの側面図、図１１はパッドスイッチ９ｃの側面図、図１２はパッドスイッチ１０ｃの側面図、図１３はパッドスイッチ１３の側面図である。
図１のように、マウスパッド１をキーボードのＹ軸に対して−３０度から−５０度の間の任意の角度に傾け、８図のようにその周辺に機能別にパッドスイッチ２、３ｃ、４、５、６、７ｃ、８、９ｃ、１０ｃ、１１、１２、１３、１４、１５、１６をドーナツ状に配置した。
図３のようにパッドスイッチ２にプッシュロックスイッチ２ａを設け、ドラッグ＆ドロップのドラッグロック機能を割り当てた。
パッドスイッチ２を押すと、プッシュロックスイッチ２ａが（ＯＮ）入りロックされドラッグロックとなる。また、もう一度パッドスイッチ２を押すとプッシュロックスイッチ２ａが（ＯＦＦ）切れ、ロック状態が解除されドラッグロックも解除される。
図９のようにパッドスイッチ３ｃに縦方向と横方向の２方向からの力に対し１個のタクトスイッチ３ｄで動作する機構を設け、左方向へのスクロールの機能を割り当てた。
パッドスイッチ４にプッシュスイッチを設け、左クリックの機能を割り当てた。
図５のようにスクロールパッドスイッチ５のＹ’軸（上下）をキーボードのＹ軸に対して−５度前後に傾けて配置し、スクロールパッドスイッチ５のＸ’軸（左右）とＹ’軸（上下）の交点を、スクロールパッドスイッチ５のＸ’軸に対して６０度前後の任意の角度ににＹ’軸を傾け、４箇所にプッシュスイッチを設け上下・左右方向へのスクロールの機能を割り当てた。
パッドスイッチ６にプッシュスイッチを設け、右クリックの機能を割り当てた。
【００１７】
図１０のようにパッドスイッチ７ｃに縦方向と横方向の２方向からの力に対し１個のタクトスイッチ７ｄで動作する機構を設け、右方向へのスクロールの機能を割り当てた。
パッドスイッチ８にプッシュスイッチを設け、バックスペースキーの機能と、インターネット表示画面の「戻る」の機能を割り当てた。
図１１のようにパッドスイッチ９ｃに縦方向と横方向の２方向からの力に対し１個のタクトスイッチ９ｄで動作する機構を設け、下方向へのスクロールの機能を割り当てた。
図１２のようにパッドスイッチ１０ｃに縦方向と横方向の２方向からの力に対し１個のタクトスイッチ１０ｄで動作する機構を設け、上方向へのスクロールの機能を割り当てた。
パッドスイッチ１１にプッシュスイッチを設け、「削除」の機能を割り当てた。
パッドスイッチ１２にプッシュスイッチを設け、「切り取り」の機能を割り当てた。
図１３のようにパッドスイッチ１３に、プッシュロックスイッチ１３ａを設け、文章画面設定とインターネット画面設定にパッドスイッチの機能を切り替えた。パッドスイッチ１３を押すと、プッシュロックスイッチ１３ａが（ＯＮ）入りロックされ、文章画面設定となりパッドスイッチ８に「元に戻す」と、パッドスイッチ１４に「やり直す」の機能を割り当てた。また、もう一度パッドスイッチ１３を押すとプッシュロックスイッチ１３ａが（ＯＦＦ）切れ、ロックが解除されインターネット画面設定に戻る。
パッドスイッチ１４にプッシュスイッチを設け、インターネット表示画面の「進む」の機能を割り当てた。
パッドスイッチ１５にプッシュスイッチを設け、「張り付け」の機能を割り当てた。
パッドスイッチ１６にプッシュスイッチを設け、「コピー」の機能を割り当てた。
従来のパッドスイッチやキーにない、「ドラッグロック」、「戻る」・「元に戻す」、「削除」、「切りとり」、「進む」・「やり直し」、「張り付け」、「コピー」機能については、インターフェイス回路を設けた。
以上のように構成されている。
【００１８】
従来のマウスパッドは、横６０ミリ×縦４５ミリでキーボードのＹ軸に対して０度の角度に設けられていた。そこで、マウスパッド１を人間工学に基づいてＹ軸に対して−３０度から−５０度の任意の角度に傾け、８図のようにマウスパッドの周辺に機能別にパッドスイッチ２、３ｃ、４、５、６、７ｃ、８、９ｃ、１０ｃ、１１、１２、１３、１４、１５、１６をドーナツ状に配置したことにより、キーボード入力からマウスパッドの操作へと移りやすく、手首と指先の角度を変えることなく個々のパッドスイッチの操作とマウスポインターを上下左右方向に操作することが簡単にできた。
図３のようにパッドスイッチ２に、プッシュロックスイッチ２ａを設けドラッグロック機能を割り当てたことにより、ドラッグ＆ドロップのドラッグロックと解除が簡単にできた。ドラッグロック機能が設けられ文章の範囲指定や画像などの編集も片手で簡単に操作できた。
また、今までパッド面を押し下げなくてもできるドラッグロック機能やドラッグロック機能のキーもパッドスイッチも無かった。
図９のようにパッドスイッチ３ｃに縦方向と横方向の２方向からの力に対し１個のタクトスイッチ３ｄで動作する機構を設け、左方向へのスクロール機能を割り当てたことにより、マウスパッド１に触れたままパッドスイッチ３ｃを左方向へ操作すると左方向へのスクロールが簡単にできた。
このようにマウスパッドを押し下げなくてもマウスポインターを操作しながら同一方向へのスクロールが簡単にできるものは無かった。
パッドスイッチ４に、左クリックの機能を割り当てたことにより簡単に操作できた。
図５のようにスクロールパッドスイッチ５のＹ’軸（上下）をキーボードのＹ軸に対して−５度前後傾けて配置し、スクロールパッドスイッチ５のＸ’軸（左右）とＹ’軸（上下）の交点を、スクロールパッドスイッチ５のＸ’軸に対して６０度前後の任意の角度にＹ’軸を傾け、上下・左右の表示画面のスクロール機能を割り当てたことにより、人差し指と中指を揃えたまま操作が簡単にできた。
人間の人差し指と中指の長さは１０ミリ前後違うので、人差し指を少し曲げて両指を揃えたときに自然とスクロールパッドスイッチ５の上下または左右の所に載るように人間工学に基づいて構成した。
【００１９】
パッドスイッチ６に、右クリックの機能を割り当てたことにより簡単に操作できた。
図１０のようにパッドスイッチ７ｃに縦方向と横方向の２方向からの力に対し１個のタクトスイッチ７ｄで動作する機構を設け、右方向へのスクロール機能を割り当てたことにより、マウスパッド１に触れたままパッドスイッチ７ｃを右方向へ操作すると右方向へのスクロールが簡単にできた。
パッドスイッチ８は、バックスペースキーの機能と、インターネット表示画面の「戻る」の機能を割り当てたことにより、バックスペースキーまで移動することなく簡単に操作することができた。
図１１のようにパッドスイッチ９ｃに縦方向と横方向の２方向からの力に対し１個のタクトスイッチ９ｄで動作する機構を設け、下方向へのスクロール機能を割り当てたことにより、マウスパッド１に触れたままパッドスイッチ９ｃを下方向へ操作すると下方向へのスクロールが簡単にできた。
図１２のようにパッドスイッチ１０ｃに縦方向と横方向の２方向からの力に対し１個のタクトスイッチ１０ｄで動作する機構を設け、上方向へのスクロール機能を割り当てたことにより、マウスパッド１に触れたままパッドスイッチ１０ｃを上方向へ操作すると上方向へのスクロールが簡単にできた。
パッドスイッチ１１に、「削除」の機能を割り当てたことにより簡単に操作できた。
パッドスイッチ１２に、「切りとり」の機能を割り当てたことにより簡単に操作できた。
図１３のようにパッドスイッチ１３に、プッシュロックスイッチ１３ａを設け、文章画面設定とインターネット画面設定にパッドスイッチの機能を切り替えた。パッドスイッチ１３を押すと、プッシュロックスイッチ１３ａが（ＯＮ）入りロックされ、文章画面設定となりパッドスイッチ８に「元に戻す」と、パッドスイッチ１４に「やり直す」の機能を割り当てたことにより簡単に操作できた。
また、もう一度パッドスイッチ１３を押すとプッシュロックスイッチ１３ａが（ＯＦＦ）切れ、簡単にロックが解除されインターネット画面設定に戻る。
パッドスイッチ１４には、インターネット表示画面の「進む」の機能を割り当て簡単に操作できた。
パッドスイッチ１５に、「張り付け」の機能を割り当てたことにより簡単に操作できた。
パッドスイッチ１６に、「コピー」の機能を割り当てたことにより簡単に操作できた。
従来のパッドスイッチやキーにない、「ドラッグロック」、「戻る」・「元に戻す」、「削除」、「切りとり」、「進む」・「やり直し」、「張り付け」、「コピー」機能について、インターフェイス回路を設けたことにより、操作がより簡単にできた。
以上のようにマウスパッド周辺だけで全ての操作が片手で簡単にできた。
【実施例３】
【００２０】
本発明を図面にもとずいて説明する。図１４は本発明の一体型ワンハンドタッチマウスパッド装着のノート型パソコンの斜視図、図１５は一体型ワンハンドタッチマウスパッド１７の斜視図、図１６はロック機構１８の斜視図である。
図１５のようにマウスパッドとパッドスイッチを薄型に一体形成した、一体型ワンハンドタッチマウスパッド１７をノート型パソコンなどに装着し、図１６のようにロック機構１８を設け、キーボードのＹ軸に対して角度の微調整とロックができるように構成した。
【００２１】
マウスパッドとパッドスイッチを薄型に一体形成したことにより、ノート型のパソコンに装着し簡単に使用することができた。また、一体型ワンハンドタッチマウス１７をロック機構１８により簡単にロックすることができた。ロック機構１８にゴム製などの弾力製のある星型偏心カムを用いたことにより、時計方向に廻し個々の使いやすい角度に簡単に調整しロックできた。ワンハンドタッチマウスが破損した場合も交換が容易にできた。また、ケーブルを繋げば外付け用の一体型ワンハンドタッチマウスパッドとしても使用することが簡単にできた。
【産業上の利用可能性】
【００２２】
本発明の活用例としてしては、ノート型パソコンなどの情報機器のマウスパッドとして使用することができる。従来のマウスパッドの操作の不便さをなくしマウスパッド周辺で全ての操作が片手で簡単にでき操作時間の短縮が図れる。マウスパッドに触れたまま表示画面のスクロールができる。また、インターネットなど表示画面のスクロールはスクロールパッドスイッチによりさらに簡単に操作できる。
マウスパッド面の大きなものを作ればより使いやすく障害者や高齢者も簡単に使用することができる。周辺に機能別パッドスイッチを増やすことにより操作性をさらに高めることができる。このようにワンハンドタッチマウスパッドは産業上の利用可能性は大きく価値があるものである。
【図面の簡単な説明】
【００２３】
【図１】ワンハンドタッチマウスパッド装着のノート型パソコンの斜視図
【図２】機能別パッドスイッチの配置図Ａ
【図３】パッドスイッチ２の側面図
【図４】パッドスイッチ３・３ａの側面図
【図５】スクロールパッドスイッチ５の上面図
【図６】パッドスイッチ７・７ａの側面図
【図７】パッドスイッチ９・９ａの側面図
【図８】機能別パッドスイッチの配置図Ｂ
【図９】パッドスイッチ３ｃの側面図
【図１０】パッドスイッチ７ｃの側面図
【図１１】パッドスイッチ９ｃの側面図
【図１２】パッドスイッチ１０ｃの側面図
【図１３】パッドスイッチ１３の側面図
【図１４】一体型ワンハンドタッチマウスパッド装着のノート型パソコンの斜視図
【図１５】一体型ワンハンドタッチマウスパッド１７の斜視図
【図１６】ロック機構１８の斜視図
【符号の説明】
【００２４】
１    ：マウスパッド
２    ：パッドスイッチ（ドラッグロック機能）
２ａ  ：プッシュロックスイッチ  
３    ：パッドスイッチ（縦方向）
３ａ  ：パッドスイッチ（横方向）
３ｂ  ：プッシュスイッチ（左方向スクロール機能）
３ｃ  ：パッドスイッチ（縦・横方向）
３ｄ  ：タクトスイッチ（左方向スクロール機能）
４    ：パッドスイッチ（左クリック機能）
５    ：スクロールパッドスイッチ（上下・左右スクロール機能）
６    ：パッドスイッチ（右クリック機能）
７    ：パッドスイッチ（縦方向）
７ａ  ：パッドスイッチ（横方向）
７ｂ  ：プッシュスイッチ（右方向スクロール機能）
７ｃ  ：パッドスイッチ（縦・横方向）
７ｄ  ：タクトスイッチ（右方向スクロール機能）
８    ：パッドスイッチ（バックスペース・戻る・元に戻す機能）
９    ：パッドスイッチ（縦方向）
９ａ  ：パッドスイッチ（横方向）
９ｂ  ：プッシュスイッチ（下方向スクロール機能）
９ｃ  ：パッドスイッチ（縦・横方向）
９ｄ  ：タクトスイッチ（下方向スクロール機能）
１０ｃ：パッドスイッチ（縦・横方向）
１０ｄ：タクトスイッチ（上方向スクロール機能）
１１  ：パッドスイッチ（削除機能）
１２  ：パッドスイッチ（切り取り機能）
１３  ：パッドスイッチ（文章・インターネット画面切り替え用）      
１３ａ：プッシュロックスイッチ
１４  ：パッドスイッチ（進む・やり直し機能）           
１５  ：パッドスイッチ（張り付け機能）    
１６  ：パッドスイッチ（コピー機能）
１７  ：一体型ワンハンドタッチマウスパッド
１８  ：ロック機構                         
【図１】
2005190030.tif 000003
【図２】
2005190030.tif 000004
【図３】
2005190030.tif 000005
【図４】
2005190030.tif 000006
【図５】
2005190030.tif 000007
【図６】
2005190030.tif 000008
【図７】
2005190030.tif 000009
【図８】
2005190030.tif 000010
【図９】
2005190030.tif 000011
【図１０】
2005190030.tif 000012
【図１１】
2005190030.tif 000013
【図１２】
2005190030.tif 000014
【図１３】
2005190030.tif 000015
【図１４】
2005190030.tif 000016
【図１５】
2005190030.tif 000017
【図１６】
2005190030.tif 000018